(57)【要約】      （修正有）【課題】装着時のフィット感を向上させ、周囲への引っ掛りを防止する収納具を提供する。【解決手段】可撓性を有する収納部本体であるバッグ本体２の後方に設けた取付面部である背面部２Ｂに、腰ベルトＢが挿通可能なベルト挿通部としてベルト通し部１５を備えた収納具１であって、背面部２Ｂの左右両端を平面視略弓状に保持して、背面部２Ｂを凹み側が外側に向けた状態で保持する保持手段２２、２３を備えたことにより、収納具１の背面部２Ｂを作業者の腰付近の形状に沿った形状とし、装着時のフィット感を向上させることができる。【選択図】図２
0003150392.tif 000002
【実用新案登録請求の範囲】
【請求項１】
可撓性を有する収納部本体の後方に設けた取付面部に、ベルトが挿通可能なベルト挿通部を備えた収納具であって、
前記取付面部の左右両端を平面視略弓状に保持して、前記取付面部を凹み側が外側に向けた状態で保持する保持手段を備えたことを特徴とする収納具。
【請求項２】
前記保持手段は、前記取付面部の左右両端より水平方向に揺動自在に設けられ、その先端に係合部を有する張弦部材と、前記取付面部の左右両端より水平方向における前記取付面部の中央側に配設され、前記係合部と係合自在な係合受部とを備え、
前記張弦部材の水平方向の長さ寸法を、前記取付面部の左右両端から各係合受部までの水平方向の長さ寸法よりも小さく形成したことを特徴とする請求項１記載の収納具。
【請求項３】
前記取付面部に、吊下げ手段を備えたことを特徴とする請求項１又は２に記載の収納具。
【請求項４】
前記係合部に係合自在な係合受部を両端に設けた紐状部材を備えたことを特徴とする請求項２に記載の収納具。
【考案の詳細な説明】
【技術分野】
【０００１】
本考案は、工具、携帯電話、筆記用具等を収納する収納具に関するものである。
【背景技術】
【０００２】
従来、工具等を収納可能な収納具本体の外面側に作業者の腰ベルト等に取り付け可能なカラビナやベルト通し等の取付手段を備え、作業者の腰付近に装着可能な収納具がある（例えば、特許文献１）。
【先行技術文献】
【特許文献】
【０００３】
【特許文献１】実用新案登録第３１０５８０２号公報
【考案の開示】
【考案が解決しようとする課題】
【０００４】
しかし、従来の収納具では、装着時に比較的平面形状に形成された収納具本体の外面側と、作業者の腰付近との間の接触部分以外では、隙間が大きく形成されてしまうので、装着時に接触部分を軸に収納具が水平方向に揺動してしまい、工具の収納に支障が生じる虞があり、装着時のフィット感に問題点を有していた。
【０００５】
また、従来の収納具として、上記構成の収納具本体の左右両端を張り出させて、この張り出し部分に肩掛け用のベルトを取り付け、ショルダーバッグとして使用可能な収納具もある。このような収納具は、収納具本体の張り出し部分によって肩掛け用ベルトの取り付け作業が行いやすくなるので、肩掛け用ベルトを取り付けてショルダーバッグとして、使用する場合には便利であるが、前述のカラビナやベルト通し等の取付手段を介して腰に装着して使用する場合には、バッグの左右両端から張り出し部分が突出しているため、この張り出し部分が作業中に周囲に引っ掛り易く、作業に支障をきたすという問題点を有していた。
【０００６】
解決しようとする問題点は、装着時のフィット感を向上させ、周囲への引っ掛りを防止する収納具を提供する点である。
【課題を解決するための手段】
【０００７】
請求項１の考案は、可撓性を有する収納部本体の後方に設けた取付面部に、ベルトが挿通可能なベルト挿通部を備えた収納具であって、前記取付面部の左右両端を平面視略弓状に保持して、前記取付面部を凹み側が外側に向けた状態で保持する保持手段を備えたことを特徴とする。
【０００８】
請求項２の考案は、前記保持手段は、前記取付面部の左右両端より水平方向に揺動自在に設けられ、その先端に係合部を有する張弦部材と、前記取付面部の左右両端より水平方向における前記取付面部の中央側に配設され、前記係合部と係合自在な係合受部とを備え、前記張弦部材の水平方向の長さ寸法を、前記取付面部の左右両端から各係合受部までの水平方向の長さ寸法よりも小さく形成したことを特徴とする。
【０００９】
請求項３の考案は、前記取付面部に、吊下げ手段を備えたことを特徴とする。
【００１０】
請求項４の考案は、前記係合部に係合自在な係合受部を両端に設けた紐状部材を備えたことを特徴とする。
【考案の効果】
【００１１】
請求項１の考案によれば、収納具の取付面部を作業者の腰付近の形状に沿った形状にすることにより、装着時の収納具と作業者の腰付近との隙間を無くし、装着時のフィット感を向上させることができる。また、収納具本体の左右両端を平面視略弓状に曲げることにより、装着時の収納具本体の左右両端が周囲に引っ掛ることを防止する。
【００１２】
請求項２の考案によれば、保持手段を、張弦部材の係合部を取付面部の係合部に係合させるだけで、簡単、確実に収納具本体を平面視略弓形状に保持可能とする、操作性に優れ、簡単な構造のものとすることができる。
【００１３】
請求項３の考案によれば、本考案の収納具をベルト以外のものに吊下げて携帯することが可能となる。
【００１４】
請求項４の考案によれば、本考案の収納具をショルダーバッグとして使用することができる。
【図面の簡単な説明】
【００１５】
【図１】実施例１を示す収納具の正面斜視図である。
【図２】同収納具の背面斜視図である。
【図３】同収納具の保持手段による係合状態を解除し、取付面部を平坦にした状態の背面図である。
【図４】同収納具の蓋体を開いた状態の正面斜視図である。
【図５】同収納具の装着時における平面図である。
【図６】同収納具の係合部に紐状部材を取り付けた状態の背面図である。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１〜６は本実施例１を示しており、収納具１の収納本体であるバッグ本体２は、上部に第１の開口部３を備え、内部に収納空間を備えた可撓性を有する帆布製の袋体からなる。第１の開口部３には、この第１の開口部３を開閉自在にする開閉部としてファスナ４を備えるとともに、本体側蓋体５が垂直方向に開閉自在に設けられており、バッグ本体２の前面部２Ａと本体側蓋体５とは、マグネット式のスナップボタン７により固定可能に設けられている（図４参照）。ここで、バッグ本体２は、可撓性を有する材料であれば帆布製に限られるものではなく、例えばナイロン基布、ポリエステル基布、皮革、人工皮革、ビニールレザー、スエード等としてもよい。
【００１８】
また、バッグ本体２の前面部２Ａには、上部に第２の開口部８を備え、携帯電話（図示せず）等が収納可能なポケット９が配設されており、第２の開口部８にはポケット側蓋体１０が垂直方向に開閉自在に設けられており、ポケット９の前面部とポケット側蓋体１０とは、面ファスナ（図示せず）により固定可能に設けられている。
【００１９】
また、ポケット側蓋体１０には、半円状に形成された吊下げ用の金属製の第１のリング体１２が設けられている。
【００２０】
さらに、ポケット９の側面部には、上下方向に貫通した縦長な中空筒状の筆記用具ホルダ１３が配設されている。
【００２１】
続いて、バッグ本体２の取付面部としての背面部２Ｂには、中央部分に作業者Ｓの腰ベルトＢを通すための第１の腰取付部としてのベルト通し部１５が水平方向に貫通して設けられており、このベルト通し部１５の上部に設けられた吊り輪１６には、第２の腰取付部としてカラビナ１７が取り付けられている。
【００２２】
ここで、本実施例の特徴として、バッグ本体２の左右両端の上部を水平方向外向きに張り出すように延設させた張り出し部分としての突設部１８が形成されており、この突設部１８には人工皮革からなる帯状部材を二つ折りにして形成された第１の環状部１９が第１のリベット部２０により固着されており、この第１の環状部１９に取付けられた金属製の第２のリング体２１を介して、張弦部材としてのフック体２２を水平方向に揺動自在に備えている。このフック体２２の先端部分には、開閉自在に形成された環状のフック部２２Ａが設けられている。突設部１８の先端と第１の環状部１９の内周面との間隔を近接して設けられており、第２のリング体２１は第１の管状部１９に遊びの無い状態で取り付けられている。
【００２３】
また、背面部２Ｂにおける各突設部１８を結ぶ水平方向と平行な仮想線Ｘ上の各突設部１８の内側には、人工皮革からなる帯状部材を二つ折りして形成され、係合受部として各フック部２２Ａが係合自在な第２の環状部２３が第２のリベット部２４によりそれぞれ固定されている。
【００２４】
そして、図３に示すように、背面部２Ｂが平坦な状態では、各突設部１８を結ぶ水平方向と平行な仮想線Ｘ上の第１の環状部１９における第２のリング体２１の取付位置からフック部２２Ａまでの長さ寸法Ｌ１は、第１の環状部１９の第２のリング体２１の取付位置から第２の環状部２３までの長さ寸法Ｌ２より小さく形成されており、背面部２Ｂが平坦な状態ではフック体２２のフック部２２Ａは第２の環状部２３に届かず、係合不能な構造となっている。
【００２５】
ここで、図５に示すように、第２のリベット部２４を軸として、背面部２Ｂの左右両端を中央部分側へ折り返して、フック部２２Ａと第２の環状部２３を係合させて、背面部２Ｂの左右両端を平面視略弓形状に保持することにより、背面部２Ｂを凹面が外側を向くように保持する構造となっている。
【００２６】
また、図６に示すように、フック部２２Ａに係合自在な金属製の第３のリング体２５を両端に備え、長さ調節自在に設けられた肩掛け用のベルト等の紐状部材２６を、フック部２２Ａに取付可能に備えている。
【００２７】
次に前記構成についてその作用を説明する。例えば作業者Ｓの腰ベルトＢを介してバッグ本体２を取り付けるには、腰ベルトＢをベルト通し部１５に通すことにより行われる。このときに背面部２Ｂは作業者Ｓのズボンの腰部分に当接する。そして、この状態で携帯電話（図示せず）をポケット９に収納し、筆記用具ホルダーに留め具であるクリップを備えた筆記具（図示せず）を取り付ける。さらに、第１のリング体１２にフック等の吊下げ手段を備えた物品を吊下げることが可能である。また、ベルト通し部１５を用いず、カラビナ１７を腰ベルトＢ等に取り付けてバッグ本体２を吊下げた状態で収納具１を携帯することも可能である。
【００２８】
ここで、図５に示すように、第２のリベット部２４を軸として、背面部２Ｂの左右両端である突設部１８を中央部分側へ折り返して、フック部２２Ａと第２の環状部２３を係合させて、背面部２Ｂの左右両端である突設部１８を平面視略弓形状に保持することにより、背面部２Ｂを凹面が外側を向くように保持することで、背面部２Ｂを作業者Ｓの腰部分の曲面形状に沿った形状とし、装着時の収納具１のフィット性を向上させることができる。
【００２９】
ここで、突設部１８の先端と第１の環状部１９の内周面との間隔を近接して設けられており、第２のリング体２１は第１の管状部１９に遊びの無い状態で取り付けられている。そのため、突設部１８を平面視略弓状に保持する場合に、第２のリング体によって容易に第１の環状部１９を引張ることが可能となるので、平面視略弓状となる突設部１８の曲率半径をより小さなものとして、背面部２Ｂをさらに作業者Ｓの腰部分の曲面形状に沿った形状とし、装着時の収納具１のフィット性を一層向上させることができる。
【００３０】
また、フック部２２Ａと第２の環状部２３との係合状態を解除して、フック部２２Ａを第３のリング体２５に係合させて、バッグ本体２に紐状部材２６を取り付けることで、肩掛け式のバッグ（ショルダーバッグ）として使用することができる。
【００３１】
以上のように、前記実施例では請求項１に対応して、可撓性を有する収納部本体であるバッグ本体２の後方に設けた取付面部である背面部２Ｂに、腰ベルトＢが挿通可能なベルト挿通部としてベルト通し部１５を備えた収納具１であって、背面部２Ｂの左右両端である突設部１８を平面視略弓状に保持して、背面部２Ｂを凹み側が外側に向けた状態で保持する保持手段２２、２３を備えている。
【００３２】
この場合、収納具１の背面部２Ｂを作業者Ｂの腰付近の形状に沿った形状にすることにより、装着時の収納具１と作業者Ｓの腰付近との隙間を無くし、装着時のフィット感を向上させることができる。また、バッグ本体２の左右両端である突設部１８を平面視略弓状に曲げることにより、装着時のバッグ本体２の左右両端である突設部１８が周囲に引っ掛ることを防止する。
【００３３】
また、前記実施例では請求項２に対応して、保持手段は、背面部２Ｂの左右両端より水平方向に揺動自在に設けられ、係合部としてフック部２２Ａを有する張弦部材としてのフック体２２と、背面部２Ｂの左右両端より水平方向における背面部２Ｂの中央側に配設され、フック部２２Ａと係合自在な係合受部としての第２の環状部２３とを備え、フック体２２の水平方向の長さ寸法Ｌ１を、背面部２Ｂの左右両端から各第２の環状部２３までの水平方向の長さ寸法Ｌ２よりも小さく形成している。
【００３４】
この場合、保持手段を、フック体２２のフック部２２Ａを背面部２Ｂの第２の環状部２３に係合させるだけで、簡単、確実にバッグ本体２の背面部２Ｂを平面視略弓形状に保持可能とする、操作性に優れ、簡単な構造のものとすることができる。
【００３５】
さらに、前記実施例では請求項３に対応して、背面部２Ｂに、吊下げ手段としてカラビナ１７を備えている。
【００３６】
この場合、本考案の収納具をベルト以外のものに吊下げて携帯することが可能となる。
【００３７】
また、前記実施例では請求項４に対応して、フック部２２Ａに係合自在な係合受部として第３のリング体２５を両端に設けた紐状部材２６を備えている。
【００３８】
この場合、本考案の収納具をショルダーバッグとして使用することができる。
【産業上の利用可能性】
【００３９】
以上のように本考案に掛かる収納具は工具袋以外に携帯電話用収納具、筆記用具用収納具など各種の用途に適用できる。
【符号の説明】
【００４０】
１  収納具
２    バッグ本体（収納具本体）
２Ｂ  背面部（取付面部）
１５  ベルト通し部（ベルト挿通部）
１７  カラビナ（吊下げ手段）
１８  突設部（左右両端）
２２  フック体（張弦部材）
２２Ａ  フック部材（係合部）
２３  第２の環状部（係合受部）
２５  第３のリング体（係合受部）
２６  紐状部材
Ｂ  腰ベルト
【図１】
0003150392.tif 000003
【図２】
0003150392.tif 000004
【図３】
0003150392.tif 000005
【図４】
0003150392.tif 000006
【図５】
0003150392.tif 000007
【図６】
0003150392.tif 000008